(57)【特許請求の範囲】
【請求項１】
入力された対象文書から段落および文を切り出す段落・文切り出し部と、
前記段落・文切り出し部で切り出された文書内の各文について重要度を評価する文重要度評価部と、
対象文書および前記段落・文切り出し部で切り出された文書内の各文についてその段落番号、前記文重要度評価部で評価された文重要度の情報等を記憶する文書情報記憶部と、
前記文重要度評価部で評価された文の重要度に基づき文書内の各文の重要度の順序付けを行なう文ランキング部と、
入力された要約率に応じて前記文ランキング部の文ランキング結果から重要文を抽出する重要文抽出部と、を有する重要文抽出装置において、
前記文ランキング部による文の重要度順序付けにかかわらず、文書内の特定の位置にある文を優先して文ランキング結果を修正する文ランキング修正部を備えていることを特徴とする重要文抽出装置。
【請求項２】
前記文ランキング修正部は、文書内の特定の位置にある段落内にある文を優先することを特徴とする請求項１記載の重要文抽出装置。
【請求項３】
前記文ランキング修正部は、文書内の先頭から特定の文数内にある文を優先することを特徴とする請求項１記載の重要文抽出装置。
【請求項４】
前記文ランキング修正部は、文書内の特定の位置にある段落内にある文、および文書内の先頭から特定の文数内にある文の少なくとも一方を満足する文を優先することを特徴とする請求項１記載の重要文抽出装置。
【請求項５】
前記文書内の特定の位置にある段落は、先頭の段落、または第２の段落と最終の段落の少なくとも一方の段落であり、同一段落内では段落内の特定の位置にある文を優先することを特徴とする請求項２または４記載の重要文抽出装置。
【請求項６】
前記文書内の先頭から特定の文数は、文書内の総文数に対して一定の割合であることを特徴とする請求項３または４記載の重要文抽出装置。
【請求項７】
前記文ランキング修正部は、前記文重要度評価部における文の重要度が低い文および前記文ランキング部における文のランキングが低い文の少なくとも一方を満足する文を優先しないことを特徴とする請求項１記載の重要文抽出装置。
【請求項８】
前記文ランキング修正部による文ランキング修正を有効にするか否かを切り替える手段をさらに備えていること特徴とする請求項１記載の重要文抽出装置。
【請求項９】
入力された対象文書から重要文を抽出する抽出方法において、
段落・文切り出し部により前記対象文書から段落および文を切り出す第１の工程と、
文重要度評価部により前記第１の工程で切り出された文書内の各文について重要度を評価する第２の工程と、
文ランキング部により前記第２の工程で評価された文の重要度に基づき文書内の各文の重要度の順序付けを行なう第３の工程と、
文ランキング修正部により前記第３の工程で順序付けられた重要度にかかわらず文書内の特定の位置にある文を優先するように順序付けを修正する第４の工程と、
重要文抽出部により入力された要約率に応じて前記第４の工程で修正された順序付け結果から重要文を抽出する第５の工程と、
を含んでなることを特徴とする重要文抽出方法。
【請求項１０】
入力された対象文書から段落および文を切り出す第１の手順と、
前記第１の手順で切り出された文書内の各文について重要度を評価する第２の手順と、
前記第２の手順で評価された文の重要度に基づき文書内の各文の重要度の順序付けを行なう第３の手順と、
前記第３の手順で順序付けられた重要度にかかわらず文書内の特定の位置にある文を優先するように順序付けを修正する第４の手順と、
入力された要約率に応じて前記第４の手順で修正された順序付け結果から重要文を抽出する第５の手順と、
を情報処理装置に実行させることを特徴とする重要文抽出用プログラム。
【発明の詳細な説明】
【０００１】
【発明の属する技術分野】
本発明は、文書から重要文を抽出する重要文抽出技術に係り、特に、文書管理装置、文書閲覧装置、文書検索装置等における要約等の文書の縮約表示に好適な重要文抽出装置および抽出方法並びに抽出方法を実施するための重要文抽出用プログラムに関する。
【０００２】
【従来の技術】
文書の要約は、文書の概要を把握する上で重要である。そこで、文書の要約を機械的に作成する装置、すなわち、自動要約作成装置が期待される。しかし、人間によっても難しい要約の作成を自動化するのは、さらに難しい。そこで、要約に代わるものとして、文書中の重要文を接いで作成した抄録の自動化が、実現性として高い。
【０００３】
このような文書中の重要文を接いで抄録を自動的に作成する技術として、例えば、
１）特開昭６１−１１７６５８号公報：文章抄録装置
２）特開平０３−２７８２７０号公報：抄録文作成装置
３）特開昭６１−１００８６１号公報：文書編集装置
４）特開平０２−１８１２６１号公報：自動抄録生成装置
５）特開平０４−０７４２５９号公報：文書要約装置
に開示されている技術が公知である。
【０００４】
これらの公知技術における重要文の抽出は、高い頻度の単語（１）、キーワードの重要度（２）、キー構文との照合（３）、重要語と原文の論理的な構造（４）、重要部分を認識する知識（５）等に基づいて行われており、このような各方式を使用したさまざまな方法が知られている。これらの方法では、文の重要度といったスコアリングを行い、文のランキング（順位付け）を行い、必要な文数の重要文を抽出するようにしている。
【０００５】
一方、一般によく見られる新聞記事等においては、そのスタイルの特徴として、冒頭の段落や最終段落が重要であることから、こうした位置情報を用いた方法として、
６）特開平０７−１４１３６８号公報：飛ばし読み支援表示装置および文書処理装置
も知られている。
【０００６】
【発明が解決しようとする課題】
前者の方法は、統計的あるいは言語的な分析を行なうが、新聞記事においては、新聞記事で重要といわれている冒頭や最終の段落の文が必ずしも高い重要度にならない。
【０００７】
一方、後者のように、単に特定の段落等だけに限定すると、要約率が低い場合は、適切な抽出に近くなるが、要約率が高くなるにつれて、特定段落以外の重要文を適切に抽出できなくなる。
【０００８】
そこで、本発明の目的は、文書の重要文を抽出し、精度の高い要約文を自動的に作成することができる重要文抽出装置および重要文抽出方法を提供することにある。
【０００９】
また、他の目的は、重要文抽出方法を実施する重要文抽出用プログラムを提供することにある。
【００１０】
【課題を解決するための手段】
前記目的を達成するため、第１の手段は、入力された対象文書から段落および文を切り出す段落・文切り出し部と、前記段落・文切り出し部で切り出された文書内の各文について重要度を評価する文重要度評価部と、対象文書および前記段落・文切り出し部で切り出された文書内の各文についてその段落番号、前記文重要度評価部で評価された文重要度の情報等を記憶する文書情報記憶部と、前記文重要度評価部で評価された文の重要度に基づき文書内の各文の重要度の順序付けを行なう文ランキング部と、入力された要約率に応じて前記文ランキング部の文ランキング結果から重要文を抽出する重要文抽出部とを有する重要文抽出装置において、前記文ランキング部による文の重要度順序付けにかかわらず、文書内の特定の位置にある文を優先して文ランキング結果を修正する文ランキング修正部を備えていることを特徴とする。
【００１１】
この場合、前記文ランキング修正部は、文書内の特定の位置にある段落内にある文、あるいは、文書内の先頭から特定の文数内にある文、もしくは、文書内の特定の位置にある段落内にある文、および文書内の先頭から特定の文数内にある文の少なくとも一方を満足する文を優先する。
【００１２】
また、前記文書内の特定の位置にある段落は、先頭の段落、または第２の段落と最終の段落の少なくとも一方の段落であり、同一段落内では段落内の特定の位置にある文を優先する。なお、前記文書内の先頭から特定の文数は、文書内の総文数に対して一定の割合に設定する。
【００１３】
また、前記文ランキング修正部は、前記文重要度評価部における文の重要度が低い文および前記文ランキング部における文のランキングが低い文の少なくとも一方を満足する文を優先しないようにする。
【００１４】
さらに、前記文ランキング修正部による文ランキング修正を有効にするか否かを切り替える手段をさらに設けるとよい。
【００１５】
第２の手段は、入力された対象文書から重要文を抽出する抽出方法において、段落・文切り出し部により前記対象文書から段落および文を切り出す第１の工程と、文重要度評価部により前記第１の工程で切り出された文書内の各文について重要度を評価する第２の工程と、文ランキング部により前記第２の工程で評価された文の重要度に基づき文書内の各文の重要度の順序付けを行なう第３の工程と、文ランキング修正部により前記第３の工程で順序付けられた重要度にかかわらず文書内の特定の位置にある文を優先するように順序付けを修正する第４の工程と、重要文抽出部により入力された要約率に応じて前記第４の工程で修正された順序付け結果から重要文を抽出する第５の工程と、を含んでなることを特徴とする。
【００１６】
第３の手段に係る重要文抽出用プログラムは、入力された対象文書から段落および文を切り出す第１の手順と、前記第１の手順で切り出された文書内の各文について重要度を評価する第２の手順と、前記第２の手順で評価された文の重要度に基づき文書内の各文の重要度の順序付けを行なう第３の手順と、前記第３の手順で順序付けられた重要度にかかわらず文書内の特定の位置にある文を優先するように順序付けを修正する第４の手順と、入力された要約率に応じて前記第４の手順で修正された順序付け結果から重要文を抽出する第５の手順とを、情報処理装置に実行させることを特徴とする。
【００１７】
【発明の実施の形態】
以下、本発明の実施形態について図面を参照して説明する。
【００１８】
１．全体構成
図１は、本発明の実施形態に係る重要文抽出装置（以下、本装置という）の全体構成を示す機能ブロック図である。
【００１９】
同図において、重要文抽出装置１は、入力手段１１、表示手段１２、記憶手段１３、メモリ１４およびＣＰＵ１５とから構成され、これら各要素はバス１６によって接続されている。
【００２０】
入力手段１１はキーボード、マウス、タッチパネル等により構成され、本装置への入力に使用される。表示手段１２は、本装置の出力情報や入力手段から入力された情報などを表示する。ＣＰＵ１５は、本装置の各部（後述する指令入力部、段落・文切り出し部、文重要度評価部、文ランキング部、重要文表示部等）のプログラムを動作させる。メモリ１４は、文書情報記憶部および本装置の各部がＣＰＵ１５によって実行されるときに一時的に作成される情報や各部のプログラム等が保持される。記憶手段１３は、指定された文書、文書情報記憶部および本装置の各部のプログラム等を保持している。
【００２１】
２．機能構成
図２は、本装置の機能構成を示すブロック図である。
【００２２】
同図において、本装置の機能構成は、指令入力部２１、文書入力部２２、重要文表示部２３、文書情報記憶部２４、段落・文切り出し部２５、文重要度評価部２６、重要文抽出部２７、文ランキング部２８、文ランキング修正部２９とからなり、これらは制御部２０によって制御される。なお、制御部２０は前述のＣＰＵ１５がその機能を司る。
【００２３】
指令入力部２１は、ユーザから指定された対象文書名、要約率等を受け付ける。文書入力部２２は、指令入力部２１から受け付けられた対象文書名に基づき、対象文書を入力する。段落・文切り出し部２５は、文書から段落および文を切り出す。文重要度評価部２６は、前記段落・文切り出し部２５で切り出された文書内の各文について、重要度を評価する。文情報記憶部２４は、前記段落・文切り出し部２５で切り出された文書内の各文について、その段落番号、前記文重要度評価部２６で評価された文重要度等の文ごとの情報を記憶する
また、文ランキング部２８は、前記文重要度評価部２６で評価された文の重要度に基づき、文書内の各文のランキング（順序付け）を行なう。文ランキング修正部２９は、前記文ランキング部２８による文の重要度順序付けにかかわらず、文書内の特定の位置にある文を優先して文ランキング結果を修正する。
【００２４】
重要文抽出部２７は、前記指令入力部２１から受け付けた要約率に応じて、前記文ランキング部２８の文ランキング結果から重要文を抽出する。重要文表示部２３は、前記重要文抽出部２７の抽出した重要文を表示する。制御部２０は、各部２１〜２９の処理の流れやデータの流れを制御する。
【００２５】
３．処理の流れ
３．１  重要文抽出処理の処理手順
図３は本装置の重要文抽出処理の処理手順を示すフローチャートである。この処理は、
１）ステップ３０１：対象文書入力
２）ステップ３０２：段落・文の切り出し
３）ステップ３０３：文重要度の評価
４）ステップ３０４：文のランキング
６）ステップ３０５：文のランキング修正
５）ステップ３０６：指定要約率の入力
７）ステップ３０７：重要文の抽出
８）ステップ３０８：重要文の表示
の各手順を実行することにより行われる。以下、各ステップについて詳述する。
【００２６】
３．１．１  ステップ３０１：対象文書の入力
まず、指令入力部２０１からユーザにより文書名指定された重要文抽出の対象となる文書を入力し、文書情報記憶部２０４に格納する。以下、ここでは、下記の（Ａ）の文書を例にして説明する。なお、一般に、電子化文書は、さまざまなフォーマットで表現されているが、ここでは、最もプリミティブなテキスト形式の文書を想定する。この対象文書（朝日新聞  １９９３年１月２１日）は、
（Ａ）
−−−−−−−−−−−−−−−−−−−−−−−−−−−−−−−−−−−−
通常兵器関連の工業製品／輸出規制が始動／４ヶ国対象↓
↓
通常兵器の部品や加工機械に転用できる工業製品の輸出規制が二十日、日本でも始まった。英米などの主要先進七カ国（Ｇ７）の合意に基づいた規制で、イラクなど四カ国を対象にして、対共産圏輸出統制委員会（ココム）のリストを準用する形。Ｇ７は既に対象となる品目、国を広げるための話し合いを始めており、冷戦終結で変わる新たな輸出規制に発展しそうだ。↓
規制対象となる国は、イラン、イラク、リビア、朝鮮民主主義共和国（北朝鮮）の四カ国である。北朝鮮は、既に共産圏として特定地域に指定されているため、新たに追加されるのは三カ国である。また、イラクは経済制裁で禁輸措置が取られている。今回の措置で輸出に大きな変化が出るのはイランとリビアの二国になりそうだ。↓
輸出貿易管理令などに基づいて定められたコンピュータや工作機械などの規制品目を輸出する時には、通産省に許可申請を行う。その際、特定地域に指定されている国に対しては、明らかに民生用とわかる場合でなければ許可が下りず、事実上、規制品は輸出できない。↓
−−−−−−−−−−−−−−−−−−−−−−−−−−−−−−−−−−−−
というものであり、この文書が入力され、文書情報記憶部２０４に格納される。
【００２７】
３．１．２  ステップ３２：段落・文の切り出し
入力された文書の段落切り出し、文切り出しを行なう。
【００２８】
ここでは、対象文書はテキスト形式であるので、文は、句点「。」または改行コードで終わり、また、段落の改行コードで終わり、とみなすこととする（なお、前記（Ａ）では、改行コードを「↓」で表している）。
【００２９】
従って、文書を改行コード位置で分割することで段落を構成する文字列を切り出し、段落をさらに句点で分割することで文を構成する文字列を切り出すことができる。実際には、この処理の際に、段落番号、文番号、段落長、文長を計測することで、段落および文に関する情報として、
・段落ごとに、段落番号、段落の文書内での開始／終了位置、段落の先頭／末尾文番号
・各文ごとに、文番号、所属する段落の段落番号、文書中の開始位置、終了位置
を文書情報記憶部２０４内に、段落情報テーブル（図４）、文情報テーブル（図５）として格納する。
【００３０】
なお、位置の単位はバイトである。段落番号と文番号は０から開始している。対象文書では、先頭段落＝先頭文は文書タイトルであり、ここでは、重要文抽出する対象からは外すことにし、段落番号、文番号、ともに１からを対象とするものとする。
【００３１】
３．１．３  ステップ３０３：文重要度の評価
文の重要度の評価は、さまざまな方法があるが、ここでは、従来技術の一つとして、文内の名詞を主体としたキーワード候補単語間の重複度を利用した文間の関連度に基づいた文の重要度を評価する特開平９−３４９０５号公報に開示された方法により得た重要度を計算するものとし、ここでは、その詳細は省略する。
【００３２】
なお、前記特開平９−３４９０５号公報に記載されていると原文と文書が若干異なったり、タイトルの扱いが異なったりしているが、ここでは細部は無視する。
【００３３】
図６は前記特開平９−３４９０５号公報に開示された方法で得た重要度を文情報テーブルの各文ごとの欄に格納した結果である。文番号１のタイトルは文重要度の計算には用いているが、重要文抽出の対象でないので、文の重要度は設定していない。
【００３４】
３．１．４  ステップ３０４：文のランキング
文のランキングは、文の重要度により順序付けすることにより得ることができる。図６に合わせて、そのランキング値を設定する。なお、重要度が同点の場合は、同ランキング値とした。
【００３５】
３．１．５  ステップ３０５：文のランキング修正
文のランキング修正は、ステップ３０４の文のランキングにかかわらず、文書内の特定の位置にある文を優先するものである。特定の位置にある文として、より有効な優先の方法として以下のような方法をとる。
▲１▼文書内の特定の位置にある段落内にある文を優先する。
▲２▼文書内の先頭から特定の文数内にある文を優先する。
▲３▼前記▲１▼と▲２▼の連言的（ＡＮＤ）あるいは選言的（ＯＲ）な組み合わせの条件の文を優先する。
▲４▼特定の段落として、先頭の段落、さらに加えるならば、第２の段落と最終の段落の一方あるいは双方であり、同一段落内では、段落内の特定の位置にある文を優先する。
▲５▼先頭から特定の文数は、文書内の総文数の一定割合である文を優先する。
▲６▼ステップ３０３の文の重要度が低い文、あるいは、ステップ３０４の文のランキングが低い文は優先しない。
【００３６】
３．１．６  ステップ３０６：指定要約率の入力
どの程度の重要文を抽出するかを要約率によりユーザの指定を受け付ける。ここでは、簡単のために抽出するべき文数が直接入力されるものとするが、「１０％」とか「３０％」という原文書（対象文書）の文数に対する割合で指定された場合は、ステップ３０２で総文数がわかるので、抽出文数を得るのは容易である。なお、本ステップは、ステップ３０１〜３０４によらず、次の重要文の抽出のステップ３０７の前までに完了していればよい。
【００３７】
ここでは、「２０％」と「５０％」に相当する２文と５文の抽出を想定する。
【００３８】
３．１．７  ステップ３０７：重要文の抽出
重要文抽出のステップでは、指定された要約率の文数Ｎに対応して、各文のランキング値がＮ以下である文を抽出すればよい。２文と５文の場合は、各々次の文が抽出される。
【００３９】
・２文抽出：第４文、第３文
・５文抽出：第４文、第３文、第１文、第７文、第２文
３文抽出の場合、第１文と第７文が同ランキング値となる。こうした場合は、双方を抽出する、前方にある第１文を抽出する等、いくつかの方法が考えられるが、どのような方法を取るかは限定しない。
【００４０】
３．１．８  ステップ３０８：  重要文の表示
最後に、抽出された文をその文の番号順に表示する。
【００４１】
このようにステップ３０１からステップ３０８の処理で一連の処理を終えるが、従来では、文のランキング修正を行うステップ３０５の処理が行われていなかった。すなわち図７に示すように前記図３に示したフローチャートに対してステップ３０５がなく、指定要約率の入力はステップ３０４の処理の後に行われるようになっていた。このようなステップ３０５の処理を行わず重要文抽出で２文抽出の場合を（Ｂ）、５文抽出の場合を（Ｃ）に示す。ここでは、抽出された文を１行ずつ表示しているが、段落の形態を保ったままで表示したり、原文書中で強調表示したり、さまざまな形式が考えられるが、ここでは、その形式を限定しない。
【００４２】
（Ｂ）
−−−−−−−−−−−−−−−−−−−−−−−−−−−−−−−−−−−−
Ｇ７は既に対象となる品目、国を広げるための話し合いを始めており、冷戦終結で変わる新たな輸出規制に発展しそうだ。
規制対象となる国は、イラン、イラク、リビア、朝鮮民主主義共和国（北朝鮮）の四カ国である。
−−−−−−−−−−−−−−−−−−−−−−−−−−−−−−−−−−−−
【００４３】
（Ｃ）
−−−−−−−−−−−−−−−−−−−−−−−−−−−−−−−−−−−−
通常兵器の部品や加工機械に転用できる工業製品の輸出規制が二十日、日本でも始まった。
英米などの主要先進七カ国（Ｇ７）の合意に基づいた規制で、イラクなど四カ国を対象にして、対共産圏輸出統制委員会（ココム）のリストを準用する形。
Ｇ７は既に対象となる品目、国を広げるための話し合いを始めており、冷戦終結で変わる新たな輸出規制に発展しそうだ。
規制対象となる国は、イラン、イラク、リビア、朝鮮民主主義共和国（北朝鮮）の四カ国である。
輸出貿易管理令などに基づいて定められたコンピュータや工作機械などの規制品目を輸出する時には、通産省に許可申請を行う。
−−−−−−−−−−−−−−−−−−−−−−−−−−−−−−−−−−−−
【００４４】
なお、図３のフローチャートのステップ３０８の後を終了とせず、ステップ３０６に戻るループに代えれば、異なった要約率の抽出を繰り返すことができる。この場合、ステップ３０６で０等の特殊な値が入力された場合に、終了するフローにして、終了させればよい。
【００４５】
以上が、本実施形態に係る重要文抽出の処理手順を示すフローチャートである。なお、従来では、図３のフローチャートにおけるランキング修正の処理が行われていなかった。そこで、このランキング修正処理の有無による相違点について詳述する。
【００４６】
図８はステップ３０５の処理の内容を詳細に示すフローチャートである。このステップ３０５は、ステップ３０５１〜３０５７の７ステップから構成されている。ステップ３０５２からステップ３０５６は、文情報テーブルの各文ごとの処理のループであり、ステップ３０５１は、文番号変数ｉの初期設定とループの終了条件になる文の総数Ｎの設定である。
【００４７】
文情報テーブルに文ｉごとに新たに作業変数とランキング修正値の欄を追加し、作業変数には、まず、文のランキング値をそのまま設定した後、文ｉが優先文であれば、０に書き換えることを各文ｉに対して繰り返す（ステップ３０５２〜３０５６）。
【００４８】
全文について終了した後、作業変数の値でランキングし直して、そのランキング値をランキング修正値として設定し（ステップ３０５７）、ステップ３０７では、文ｉの  作業変数の値で昇順をソートし、順位値を文ｉのランキング修正値に設定してする。すなわち、文のランキング値ではなく、ランキング修正値で重要文を抽出する。
【００４９】
たとえば、前記▲６▼の優先の例として、
・先頭２段落、かつ、先頭５０％割合の文を優先する
・ただし、文ランキングが全体の８０％割合により低い文は優先しない
とする。
【００５０】
対象文書では、総文数は９なので、
・先頭５０％割合の文の優先は、先頭５文の優先、
・文ランキングの全体の７０％割合より低い文の非優先は、ランキング７以降の非優先
となる。この場合、先頭２段落は第７文までなので、
・先頭２段落、かつ、先頭５０％割合の文を優先する
は、
・先頭５文を優先する
と同等となる。
【００５１】
これに従い、ステップ４１４の文ｉが優先文かどうかを判定すると、
・第１文は、先頭５文内で、ランキングは３なので、優先文となる。
・第２文は、先頭５文内で、ランキングは５なので、優先文となる。
・第３文は、先頭５文内で、ランキングは２なので、優先文となる。
・第４文は、先頭５文内で、ランキングは１なので、優先文となる。
・第５文は、先頭５文内だが、ランキングは８なので、非優先文となる。
・第６〜８文は、先頭２段落かつ先頭５文内でないので、非優先文となる。
となる。
【００５２】
従って、図９にあるように、優先文の第１〜第４文の作業変数は０、他はランキング値と同じになる。
【００５３】
さらに、作業変数の値でランキングすると、図９の文ランキング修正値が設定される。
【００５４】
これに従うと、第１〜３文のランキング２，３，５が修正値で１に繰り上がり、第４文は１のまま、第７文分が３から５に下がる。従って、ステップ５では、
・２文抽出：第１文，第２文
・５文抽出：第１文，第２文，第３文，第４文，第７文
となり、ステップ６の重要文の抽出では、５文抽出では従来と同じだが、２文抽出の場合の表示は異なってくる。
【００５５】
（Ｄ）
−−−−−−−−−−−−−−−−−−−−−−−−−−−−−−−−−−−−
通常兵器の部品や加工機械に転用できる工業製品の輸出規制が二十日、日本でも始まった。
英米などの主要先進七カ国（Ｇ７）の合意に基づいた規制で、イラクなど四カ国を対象にして、対共産圏輸出統制委員会（ココム）のリストを準用する形。
−−−−−−−−−−−−−−−−−−−−−−−−−−−−−−−−−−−−
【００５６】
なお、優先文の作業変数の値を０にする方法では、優先文同士では、同位だが、結果的には前方の文が優先されることになる。必ずしも前方の文を優先せず、優先文内で優先度を代えたい場合、たとえば、
・第１段落の他に第２段落と最終段落を優先するが、第２段落より最終段落内の文を優先する。
・同一段落内では、段落内の第１文、最終文、その他の文の順に優先する。
といったような場合は、優先文間で順位が決まるように、０から１未満の小数値を設定するなどの方法を取れば、対応できる。
【００５７】
なお、本発明においては、文ランキング修正のステップをステップ３０５に設け、従来から実施されている文ランキングの結果に対して所望の修正を行うように構成しているが、いずれの手順を選択するかを切り替えるようにすることも可能である。すなわち、文ランキング修正を行わない場合と行う場合とをユーザが任意に選択できるようにすることも、あるいは、文書の種別に応じて自動判定するように構成することもできる。ユーザが選択する場合も、自動で選択する場合も重要文抽出装置の入力手段１１からその旨入力し、制御部２０によって前記入力に応じた設定を行って重要文抽出処理を実行する。
【００５８】
【発明の効果】
以上のように、請求項１記載の発明によれば、文重要度評価部で評価された文の重要度に基づき文書内の各文の重要度の順序付けを行なう文ランキング部と、前記文ランキング部による文の重要度順序付けにかかわらず、文書内の特定の位置にある文を優先して文ランキング結果を修正する文ランキング修正部を備え、入力された要約率に応じて前記文ランキング修正部で修正された文ランキング結果から重要文を抽出するので、新聞記事のように、従来の文の重要度を超越して冒頭（や末尾）の部分や段落に重要文がある文書において、小さな要約率では、冒頭（や末尾）の文を優先することで、精度が高まる一方、要約率が大きくなるにつれて、従来の文の重要度に基づく重要文抽出結果となり、広い要約率の範囲で良い精度を維持する重要文抽出装置を提供することができる。
【００５９】
請求項２ないし請求項６記載の発明によれば、文書に応じてランキングを修正するので、さらにユーザに意図に沿った精度の高い重要文抽出が可能になる。
【００６０】
請求項７記載の発明によれば、文ランキング修正部は文重要度評価部における文の重要度が低い文および前記文ランキング部における文のランキングが低い文の少なくとも一方を満足する文は優先しないので、小さな要約率の場合、優先される冒頭（や末尾）の文のうち、従来の文の重要度に基づくと重要度あるいはランキングが低い文を排除できるので、小さな要約率での精度を高めることができる。
【００６１】
請求項８記載の発明によれば、文ランキング修正部による文ランキング修正を有効にするか否かを切り替える手段をさらに備えているので、文ランキング修正が必要な場合のみランキング修正を行うことが可能になり、必要に応じて好適な処理が可能になる。
【００６２】
請求項９記載の発明によれば、段落・文切り出し部により対象文書から段落および文を切り出し、文重要度評価部により切り出された文書内の各文について重要度を評価し、文ランキング部により評価された文の重要度に基づき文書内の各文の重要度の順序付けを行ない、文ランキング修正部により順序付けられた重要度にかかわらず文書内の特定の位置にある文を優先するように順序付けを修正し、重要文抽出部により入力された要約率に応じて前記順序付け結果から重要文を抽出するので、請求項１記載の発明と同様の効果を奏する。
【００６３】
請求項１０記載の発明によれば、入力された対象文書から段落および文を切り出す手順と、切り出された文書内の各文について重要度を評価する手順と、評価された文の重要度に基づき文書内の各文の重要度の順序付けを行なう手順と、順序付けられた重要度にかかわらず文書内の特定の位置にある文を優先するように順序付けを修正する手順と、入力された要約率に応じて修正された順序付け結果から重要文を抽出する手順と、を情報処理装置に実行させるので、新聞記事のように、従来の文の重要度を超越して冒頭（や末尾）の部分や段落に重要文がある文書において、小さな要約率では、冒頭（や末尾）の文を優先することで、精度が高まる一方、要約率が大きくなるにつれて、従来の文の重要度に基づく重要文抽出結果となり、広い要約率の範囲で良い精度を維持する重要文の抽出を情報処理装置によって簡単に実現することができる。
【図面の簡単な説明】
【図１】本発明の実施形態に係る重要文抽出装置の全体構成を示す機能ブロック図である。
【図２】本発明の実施形態に係る重要文抽出装置の機能構成を示すブロック図である。
【図３】本発明の実施形態に係る重要文抽出装置抽出処理の処理手順を示すフローチャートである。
【図４】段落・文の切り出し工程における段落情報テーブルの一例を示す図である。
【図５】段落・文の切り出し工程における文情報テーブルの一例を示す図である。
【図６】文重要度の評価工程において重要度を文情報テーブルの各文ごとの欄に格納した状態を示す図である。
【図７】従来例に係る重要文抽出装置抽出処理の処理手順を示すフローチャートである。
【図８】図３におけるステップ３０５の処理の内容を詳細に示すフローチャートである。
【図９】ステップ３０５の処理に伴う文ランキング修正値の状態を示す図である。
【符号の説明】
１  重要文抽出装置
１１  入力手段
１２  表示手段
１３  記憶手段
１４  メモリ
１５  ＣＰＵ
１６  バス
２０  制御部
２１  指令入力部
２２  文書入力部
２３  重要文表示部
２４  文書情報記憶部
２５  段落・文切り出し部
２６  文重要度評価部
２７  重要文抽出部
２８  文ランキング部
２９  文ランキング修正部
【図１】
0004257042.tif 000002
【図２】
0004257042.tif 000003
【図３】
0004257042.tif 000004
【図４】
0004257042.tif 000005
【図５】
0004257042.tif 000006
【図６】
0004257042.tif 000007
【図７】
0004257042.tif 000008
【図８】
0004257042.tif 000009
【図９】
0004257042.tif 000010